(57)【要約】【課題】スリープモードで画像形成装置を移動させて電源コードが抜けることによるデータやストレージの破損を無くす。【解決手段】画像形成装置は、移行条件が整うと供給停止部分への電力供給を停止してスリープモードとなり、復帰条件が整うと供給停止部分への電力供給を再開して通常モードとなり、制御部がストレージの読み書きを伴う特定処理をスリープモード中に行うとき、電源制御部は、制御部とストレージを一時復帰させる。一時復帰の開始から終了までの間に移動を検知したとき、電源制御部は、表示パネルへの電力供給を再開する。制御部はストレージが動作中であり電源が切れないように注意を促す警告を表示させる。【選択図】図６
2018034429.tif 000002
【特許請求の範囲】
【請求項１】
商用電源から供給された電力に基づき電圧を生成する電源部と、
画像形成装置に差し込まれ、前記電源部と商用電源とを接続する電源コードと、
加速度センサーを含む加速度検知部を備え、前記加速度センサーの出力に基づき画像形成装置の移動を検知する移動検知部と、
表示パネルを含む操作パネルと、
データを記憶するストレージと、
データの読み出しと、データの書き込みを前記ストレージに行わせる制御部と、
予め定められた移行条件が整うと、前記表示パネル、前記ストレージ、及び、前記制御部を含む予め定められた供給停止部分への電力供給を停止して画像形成装置をスリープモードとし、前記スリープモードで予め定められた復帰条件が整うと、前記供給停止部分への電力供給を再開して画像形成装置を通常モードとする電源制御部と、を含み、
前記スリープモード中、
前記電源制御部は、前記制御部が前記ストレージの読み書きを伴う予め定められた特定処理を行うとき、前記制御部と前記ストレージへの電力供給を一時再開して一時復帰させ、前記特定処理の後、前記制御部と前記ストレージへの電力供給を停止して前記一時復帰を終了させ、
前記制御部は、記憶されたデータを保護するための遮断前処理を前記一時復帰の終了前に前記ストレージに行わせ、
前記一時復帰の開始から終了までの間に前記移動検知部が移動を検知したとき、
前記電源制御部は、前記表示パネルへの電力供給を再開し、
前記制御部は、前記ストレージが動作中であり電源が切れないように注意を促す警告を前記表示パネルに表示させることを特徴とする画像形成装置。
【請求項２】
スピーカーを含み、
前記スリープモード中、
前記制御部は、前記一時復帰の開始から終了までの間に前記移動検知部が移動を検知したとき、警告音を前記スピーカーに出させることを特徴とする請求項１に記載の画像形成装置。
【請求項３】
前記スリープモード中、前記移動検知部が前記一時復帰期間外に移動を検知したとき、前記電源制御部は、前記表示パネルへの電力供給を再開しないことを特徴とする請求項１又は２に記載の画像形成装置。
【請求項４】
前記移動検知部は、画像形成装置の移動方向を認識し、
前記スリープモード中、前記電源コードの抜けにくい方向として予め定められた許容方向への移動を検知したとき、前記電源制御部は、前記表示パネルへの電力供給を再開しないことを特徴とする請求項１乃至３の何れか１項に記載の画像形成装置。
【請求項５】
前記操作パネルは、前記移動検知部が移動していると判断するための閾値であって、前記加速度検知部の出力値に対する閾値の設定を受け付け、
前記移動検知部は、前記操作パネルで設定された前記閾値に基づき、移動しているか否かを判断することを特徴とする請求項１乃至４の何れか１項に記載の画像形成装置。
【請求項６】
ネットワークと接続される通信部を含み、
前記特定処理は、前記ネットワークからの要求の応答に関する処理であることを特徴とする請求項１乃至５の何れか１項に記載の画像形成装置。
【発明の詳細な説明】
【技術分野】
【０００１】
本発明は、ＨＤＤ（Hard Disk Drive）やＳＳＤ（Solid State Drive）のようなストレージを搭載する画像形成装置に関する。
【背景技術】
【０００２】
会社、病院、官庁のようなオフィスでは、印刷装置と各ＰＣをネットワークにより接続することが多い。模様替え、組織変更のような各種事情により、印刷装置を別の場所に移動させることがある。ここで、移動前と移動後で印刷装置を接続するネットワークが変わらないとき、移動前の部署のユーザーが、移動後の印刷装置で誤って印刷する場合がある。誤って印刷したユーザーは、自分の印刷物を印刷した印刷装置を探し、印刷物を取りに行く。これは、面倒である。また、閲覧権限の無い者に印刷物を見られることもある。このような印刷装置の移動時の問題に対する技術の一例が特許文献１に記載されている。
【０００３】
具体的に、特許文献１には、電力を供給する蓄電部を備え、印刷データに基づいた文字等を記録媒体に形成し、印刷装置の加速度を検出し、検出した加速度に基づいて印刷装置が移動したか否かを判定し、印刷装置が移動したと判定されたとき、記録媒体に印刷データに基づく文字や画像を形成しない印刷装置が記載されている。蓄電部により印刷装置の電源が入っていないときにも印刷装置の加速度を検出し、印刷装置の設置場所が変更になったことを検出し、印刷データに基づく文字や画像を記録媒体に形成しないようにする（特許文献１：請求項１、段落［０００６］）。
【先行技術文献】
【特許文献】
【０００４】
【特許文献１】特開２００９−１３１９８４号公報
【発明の概要】
【発明が解決しようとする課題】
【０００５】
電力制御に関し、画像形成装置には、通常モードやスリープモードが搭載される。例えば、通常モードは、直ちにジョブを開始できるように画像形成装置の各部に電力を供給するモードである。また、スリープモードは、画像形成装置に含まれるいくつかの部分への電力供給を停止し、待機状態の画像形成装置の消費電力を下げるモードである。例えば、スリープモードでは、ＬＥＤや表示パネルのような発光部分は消される。
【０００６】
画像形成装置は、商用電源からの電力の供給を受けて動作する。通常、商用電源との接続に電源コードが用いられる。電源コードの一端がコンセントに差し込まれ、他端が画像形成装置に接続される。画像形成装置を動かすことで電源コードが伸び、画像形成装置、又は、コンセントから電源コードが抜ける場合がある。電源コードが抜けると、画像形成装置への電力供給が遮断される。
【０００７】
ここで、スリープモードの画像形成装置は、発光部分も消えており、静かな状態である。動作しているように見えないので問題がないと考え、スリープモードの画像形成装置を移動させる使用者がいる。しかし、画像形成装置には、スリープモードでも間欠的にストレージ（データを不揮発的に記憶する大容量の記憶装置）の読み書きを行うものがある。スリープモードのとき、ストレージの読み書き中であるかは、外部からはわからない。
【０００８】
スリープモードでも、画像形成装置を移動させて電源コードが抜けたとき、ストレージが読み書き中である場合がある。ストレージの読み書き中に電源コードが抜けると、データの破損やストレージ自体の破損が生ずるおそれがあるという問題がある。
【０００９】
ここで、特許文献１記載の技術は、加速度に基づき印刷装置の設置場所の変更を検出し印刷しないようにする。しかし、スリープモードで画像形成装置を移動させて電源コードが抜けたときのデータやストレージの破損に関する記載はなく、上記の問題を解決することはできない。
【００１０】
本発明は、上記問題点を鑑み、スリープモードで画像形成装置を移動させて電源コードが抜けることによるデータやストレージの破損を防ぐ。
【課題を解決するための手段】
【００１１】
上記目的を達成するために請求項１に係る画像形成装置は、電源部、電源コード、移動検知部、操作パネル、ストレージ、制御部、電源制御部を含む。前記電源部は、商用電源から供給された電力に基づき電圧を生成する。前記電源コードは、画像形成装置に差し込まれ、前記電源部と商用電源とを接続する。前記移動検知部は、加速度センサーを含む加速度検知部を備え、前記加速度センサーの出力に基づき画像形成装置の移動を検知する。前記操作パネルは、表示パネルを含む。ストレージは、データを記憶する。前記制御部は、データの読み出しと、データの書き込みを前記ストレージに行わせる。前記電源制御部は、予め定められた移行条件が整うと、前記表示パネル、前記ストレージ、及び、前記制御部を含む予め定められた供給停止部分への電力供給を停止して画像形成装置をスリープモードとし、前記スリープモードで予め定められた復帰条件が整うと、前記供給停止部分への電力供給を再開して画像形成装置を通常モードとする。前記スリープモード中、前記電源制御部は、前記制御部が前記ストレージの読み書きを伴う予め定められた特定処理を行うとき、前記制御部と前記ストレージへの電力供給を一時再開して一時復帰させ、前記特定処理の後、前記制御部と前記ストレージへの電力供給を停止して前記一時復帰を終了させる。前記制御部は、記憶されたデータを保護するための遮断前処理を前記一時復帰の終了前に前記ストレージに行わせる。前記一時復帰の開始から終了までの間に前記移動検知部が移動を検知したとき、前記電源制御部は、前記表示パネルへの電力供給を再開し、前記制御部は、前記ストレージが動作中であり電源が切れないように注意を促す警告を前記表示パネルに表示させる。
【発明の効果】
【００１２】
本発明によれば、スリープモードで画像形成装置を移動させて電源コードが抜けることによるデータやストレージの破損の無い画像形成装置を提供することができる。
【図面の簡単な説明】
【００１３】
【図１】実施形態に係る複合機の一例を示す図である。
【図２】実施形態に係るストレージの一例を示す図である。
【図３】実施形態に係る複合機の電力供給系統の一例を示す図である。
【図４】実施形態に係る複合機での一時復帰を説明するための図である。
【図５】実施形態に係る移動検知部の一例を示す図である。
【図６】実施形態に係る複合機でのスリープモード中の移動に対する警告処理の流れの一例を示すフローチャートである。
【発明を実施するための形態】
【００１４】
以下、本発明の実施形態を図１〜図６を用いて説明する。そして、以下の説明では、画像形成装置として複合機１００を例に挙げて説明する。但し、以下に記載する構成、配置等の各要素は、発明の範囲を限定するものではなく単なる説明例にすぎない。
【００１５】
（画像形成装置の概要）
まず、図１を用いて、実施形態に係る複合機１００の概要を説明する。図１は、実施形態に係る複合機１００の一例を示す図である。
【００１６】
複合機１００は、内部に制御部１を含む。制御部１は基板である。制御部１は複合機１００の各部を制御する。制御部１は、各種演算や処理を行うＣＰＵ１１、画像データに対し画像処理を行って印刷や送信に用いる画像データを生成する画像処理部１２、ＲＯＭ１３、ＲＡＭ１４を含む。また、複合機１００は、大容量の記憶装置としてストレージ２を含む。ストレージ２は制御部１と通信可能に接続される。複合機１００は、ＲＯＭ１３、ストレージ２のような不揮発性の記憶装置と、ＲＡＭ１４のような揮発性の記憶装置を含む。ＣＰＵ１１は、ＲＯＭ１３やストレージ２に記憶されたプログラムＰ１や制御用データＤ１に基づき、演算や処理を行って複合機１００の各部の制御を行う（図２参照）。
【００１７】
複合機１００の上部に、原稿搬送部３ａと画像読取部３ｂが設けられる。制御部１は、セットされた原稿を１枚ずつ読み取り位置（送り読取用コンタクトガラス、不図示）に向けて連続的、自動的に原稿搬送部３ａに搬送させる。制御部１は、原稿搬送部３ａにより搬送される原稿や、載置読取用コンタクトガラス（不図示）にセットされた原稿を画像読取部３ｂに読み取らせ、画像データを生成させる。
【００１８】
複合機１００は、操作パネル４を有する。操作パネル４は、印刷やスキャンに関する設定画面や各種メッセージを表示する表示パネル４１、表示パネル４１に対して設けられたタッチパネル４２、スタートキーのようなハードキー４３を含む。操作パネル４は、印刷ジョブや送信ジョブのようなジョブの実行条件の設定（設定値の設定操作）を受け付ける。制御部１は、操作パネル４で設定された内容を認識する。また、操作パネル４には、音を鳴らすためのスピーカー４４が設けられる。制御部１は、音の波形パターンをスピーカー４４に入力し、スピーカー４４に音を発生させる。
【００１９】
複合機１００の内部に印刷部５が設けられる。印刷部５は、給紙部５ａ、搬送部５ｂ、画像形成部５ｃ、定着部５ｄを含む。印刷時、制御部１は、給紙部５ａに用紙を供給させる。制御部１は、給紙部５ａから送り出された用紙を搬送部５ｂに搬送させる。制御部１は、画像データに基づきトナー像を画像形成部５ｃに形成させ、搬送される用紙に転写させる。制御部１は、トナー像が転写された用紙を定着部５ｄに加熱・加圧させる。これにより、用紙にトナー像が定着する。定着後の用紙は機外に排出される。
【００２０】
又、制御部１は、通信部６と接続される。通信部６は、ネットワーク４００を介し、ＰＣやサーバーのようなコンピューター２００やＦＡＸ装置３００と通信を行う基板（ネットワーク４００インターフェイスカード）である。通信部６は、通信用のコネクターや通信制御用のチップを含む。制御部１は、通信部６がコンピューター２００から受信した印刷用データ（画像データや印刷設定）に基づき印刷部５に印刷を行わせる（プリンター機能）。又、通信部６は、画像データをコンピューター２００やＦＡＸ装置３００に送信できる（送信機能）。
【００２１】
（ＨＤＤ２ａとＳＳＤ２ｂ）
次に、図２に基づき、本発明の実施形態に係るストレージ２の読み書きの一例を説明する。図２は、実施形態に係るストレージ２の一例を示す図である。
【００２２】
本説明では、複合機１００がデータを記憶するストレージ２として、ＨＤＤ２ａ（Hard Disk Drive）とＳＳＤ２ｂ（Solid state Drive）を含む例を説明する。ＨＤＤ２ａとＳＳＤ２ｂの何れか一方のみを搭載するようにしてもよい。ＨＤＤ２ａとＳＳＤ２ｂには、プログラムＰ１、制御用データＤ１を記憶させることができる。また、画像データのような他のデータを記憶させてもよい。
【００２３】
ＨＤＤ２ａとＳＳＤ２ｂは制御部１と通信可能に接続される。ＨＤＤ２ａ及びＳＳＤ２ｂとデータの送受信を行うため、制御部１にはホストコントローラー１５とインターフェイス部１６が設けられる。ホストコントローラー１５はＣＰＵ１１に内蔵されてもよい。インターフェイス部１６はコネクターを含み、ケーブルを介して、ＨＤＤインターフェイス２１と、ＳＳＤインターフェイス２６に接続される。
【００２４】
ホストコントローラー１５はインターフェイス部１６に接続されたＨＤＤ２ａとＳＳＤ２ｂを認識する。ホストコントローラー１５は認識結果をＣＰＵ１１に通知する。ホストコントローラー１５は、ＨＤＤ２ａとＳＳＤ２ｂからのデータの読み出しを制御する。ホストコントローラー１５は、ＨＤＤ２ａとＳＳＤ２ｂへのデータの書き込みを制御する。
【００２５】
ＣＰＵ１１からのＨＤＤ２ａのデータの読み出し指示に基づき、ホストコントローラー１５は、ＣＰＵ１１に指定されたＨＤＤ２ａの読み出し場所からデータを読み出す。また、ＣＰＵ１１からの書き込み指示に基づき、ホストコントローラー１５は、ＣＰＵ１１に指定された書き込み場所へのデータの書き込みをＨＤＤ２ａに行わせる。また、ＣＰＵ１１からＳＳＤ２ｂのデータの読み出し指示に基づき、ホストコントローラー１５は、ＣＰＵ１１に指定されたＳＳＤ２ｂの読み出し場所からデータを読み出す。また、ＣＰＵ１１からの書き込み指示に基づき、ホストコントローラー１５は、ＣＰＵ１１に指定された書き込み場所へのデータの書き込みをＳＳＤ２ｂに行わせる。
【００２６】
ＨＤＤ２ａは、ＨＤＤコントローラー２２、ＨＤＤインターフェイス２１、バッファメモリー２３、磁気ヘッド部２４、磁気ディスク２５を含む。磁気ディスク２５へのデータの書き込みと読み出しは、磁気ヘッド部２４によりなされる。磁気ヘッド部２４は、磁気ディスク２５に面して情報の読み取りや書き込みを行うヘッド２４ａと、読み取りや書き込みを行う位置にヘッド２４ａを移動させる（シークを行う）移動機構２４ｂを含む。なお、ＨＤＤ２ａには磁気ディスク２５を回転させるモーター（不図示）が設けられる。
【００２７】
ＨＤＤコントローラー２２は、ホストコントローラー１５とやり取りをしつつＨＤＤ２ａの全機能（ＨＤＤコントローラー２２は、磁気ヘッド部２４、バッファメモリー２３の動作）を制御する。ＨＤＤインターフェイス２１は、書き込むデータを受信する。ＨＤＤコントローラー２２は、受信データをバッファメモリー２３に記憶させる。そして、ＨＤＤコントローラー２２は、バッファメモリー２３に記憶されたデータの磁気ディスク２５への書き込みを順次、磁気ヘッド部２４に行わせる。ＨＤＤコントローラー２２は、磁気ディスク２５から読み出したデータをバッファメモリー２３にいったん記憶させる。そして、ＨＤＤコントローラー２２は、ＨＤＤインターフェイス２１を介し、制御部１（ホストコントローラー１５）に読み出されたデータを送信する。
【００２８】
一方、ＳＳＤ２ｂは、ＳＳＤコントローラー２７、ＳＳＤインターフェイス２６、バッファメモリー２８、フラッシュメモリー２９（例えば、ＮＡＮＤ型）を含む。フラッシュメモリー２９のメモリーチップは、実際、複数設けられるが、図２では、便宜上、フラッシュメモリー２９を１つのみ図示する。
【００２９】
ＳＳＤコントローラー２７は、ホストコントローラー１５とやり取りをしつつＳＳＤ２ｂの全機能（バッファメモリー２８とフラッシュメモリー２９の動作）の制御を行う。ＳＳＤインターフェイス２６は、ホストコントローラー１５から受信したデータをバッファメモリー２８に記憶させる。そして、ＳＳＤコントローラー２７は、バッファメモリー２８に記憶されたデータをフラッシュメモリー２９に記憶させる（書き込みする）。ＳＳＤコントローラー２７は、フラッシュメモリー２９からデータを読み出し、バッファメモリー２８にいったん記憶させる。ＳＳＤコントローラー２７は、ＳＳＤインターフェイス２６を介し、読み出したデータを制御部１（ホストコントローラー１５）に送信する。
【００３０】
（通常モードとスリープモード）
次に、図３を用いて、実施形態に係る複合機１００でのモードと各部分への電力供給の一例を説明する。図３は、実施形態に係る複合機１００の電力供給系統の一例を示す図である。
【００３１】
複合機１００は、電源部８を含む。電源部８は、１次電源部８１、２次電源部８２、電源制御部９を含む。電源コードＣ１は、商用電源４００と複合機１００（１次電源部８１）を接続する。１次電源部８１は商用電源４００（交流電圧）から直流電圧を生成する。１次電源部８１は、予め設定された電圧を生成し出力する。例えば、１次電源部８１は、モーター駆動用のＤＣ２４Ｖを生成する。
【００３２】
複合機１００内に設けられる回路、素子は様々である。各回路、各素子の動作に要する電圧の種類も複数種に及ぶ。複数種の電圧が制御部１、ストレージ２、原稿搬送部３ａ、画像読取部３ｂ、操作パネル４、印刷部５、通信部６の動作に必要である。また、ＣＰＵ１１、画像処理部１２のようなデバイス（集積回路）では、動作に複数種の電圧が必要となることもある。そこで、２次電源部８２は、１次電源部８１の生成電圧に基づき、複数種の直流電圧を生成する。
【００３３】
複数種の電圧生成のため、２次電源部８２は、ＤＣコンバーターやレギュレーターのような複数の電力変換回路８３を含む。各電力変換回路８３の出力電圧は予め設定される。具体的に、２次電源部８２は、制御部１の各部分（ＣＰＵ１１、画像処理部１２、ＲＯＭ１３、ＲＡＭ１４、ホストコントローラー１５、インターフェイス部１６）、ストレージ２（ＨＤＤ２ａとＳＳＤ２ｂ）、原稿搬送部３ａ（原稿搬送部３ａ内に設けられた原稿搬送制御用の制御素子やメモリー）、画像読取部３ｂ（画像読取部３ｂ内に設けられたイメージセンサーや、光源や、画像読取制御用の制御素子やメモリー）、操作パネル４内の各部分（表示パネル４１、タッチパネル４２、ハードキー４３）、印刷部５、通信部６の動作に必要な大きさの電圧を生成し、供給する。
【００３４】
複合機１００は、通常モードとスリープモードを有する。通常モードでは、電源制御部９は、複合機１００の全ての部分に電力を供給し、直ちにジョブを実行できる状態で複合機１００を保つ。例えば、制御部１は、定着部５ｄのヒータのＯＮ／ＯＦＦを行って、定着部５ｄを定着可能な温度で保つ。しかし、通常モードではジョブを実行していない状態（待機状態）でも、制御部１を含め、各部分で一定の電力が消費される。
【００３５】
スリープモードは、複合機１００の消費電力を減らすモードである。電源制御部９は、スリープモードは、通常モードで電力を供給していた部分のうち、予め定められた供給停止部分への電力供給を停止する。複合機１００の部分のうち、どの部分を供給停止部分とするかは、適宜定めることができる。
【００３６】
電力変換回路８３の中には、供給停止部分とスリープモードでも電力供給を行う部分の両方に電力供給を行うものがある。供給停止部分に対してのみ電力供給をＯＦＦできるように、スイッチ部８４が設けられる。スイッチ部８４は、トランジスタのようなスイッチング素子である。スイッチ部８４は複数設けることができる。スイッチ部８４は供給停止部分と電力変換回路８３の間に設けられる。電源制御部９は、各電力変換回路８３のＯＮ／ＯＦＦや、各スイッチ部８４のＯＮ／ＯＦＦを制御する。
【００３７】
複合機１００では、制御部１、ストレージ２、原稿搬送部３ａ、画像読取部３ｂ、表示パネル４１、タッチパネル４２、印刷部５が供給停止部分とされる。なお、スリープモードでは、電源制御部９は、制御部１（少なくとも、ＣＰＵ１１、ＲＡＭ１４、ホストコントローラー１５、インターフェイス部１６）とストレージ２への電力供給を間欠的に行う（詳細は後述）。また、電源制御部９はスリープモードでも通信部６に電力を供給する。
【００３８】
主電源スイッチ８５の操作によって複合機１００の主電源がＯＮされたとき、電源制御部９は、誤動作の防止の観点から、予め定められた順番で、予め定められた時点にそれぞれの電力変換回路８３の動作を開始させる。また、電源制御部９は、それぞれのスイッチ部８４を予め定められた時点にＯＮしてゆく。主電源ＯＮに伴い、通常モードで電力を供給する部分への電力供給が順番に開始される。電力供給が開始された部分では、起動処理が開始される。通常モードで電力供給が開始された部分の全ての起動が完了すると、複合機１００は通常モードでの起動が完了する。なお、主電源スイッチ８５は例えば、複合機１００の側面に設けられる。主電源スイッチ８５は、主電源のＯＮ／ＯＦＦのためのスイッチである。
【００３９】
通常モード中に予め定められたスリープモードへの移行条件が満たされたとき、複合機１００は、スリープモードに移行する。移行条件は、適宜定められる。複合機１００では、操作パネル４に設けられたハードキー４３としての電源キー４３ａへの操作が移行条件とされる。なお、複合機１００がジョブを実行していない時間や、操作パネル４への操作がない時間が予め定められた基準時間を超えたことを移行条件としてもよい。移行条件が満たされたとき、制御部１は、電源制御部９に指示を与え、供給停止部分への電力供給を停止させる。
【００４０】
通常モードからスリープモードに移行するとき、電源制御部９は、供給停止部分に電力を供給する電力変換回路８３やスイッチ部８４を予め定められた順番で、予め定められた時点にＯＦＦさせていく。全ての供給停止部分への電力供給が停止された時点でスリープモードへの移行が完了する。
【００４１】
一方、スリープモード中に予め定められた復帰条件が整うと、電源制御部９は、複合機１００を通常モードに復帰させる。例えば、スリープモード中の電源キー４３ａの操作、コンピューター２００やファクシミリ装置３００からの印刷データの受信が復帰条件とされる。電源制御部９は、復帰条件が整ったか否かを検知する部分（操作パネル４のハードキー４３と通信部６）にはスリープモードでも電力を供給する。
【００４２】
また、スリープモードから通常モードに復帰するとき、電源制御部９は、供給停止部分に電力を供給するため電力変換回路８３やスイッチ部８４を予め定められた順番で、予め定められた時点にＯＮさせていく。これにより、供給停止部分への電力供給が順次再開される。電力供給が再開された部分は、起動処理を開始する。全ての供給停止部分の再起動が完了した時点で通常モードへの復帰が完了する。
【００４３】
なお、主電源スイッチ８５の操作によって複合機１００の主電源がＯＦＦされたとき、電源制御部９は、予め定められた順番で、予め定められた時点にそれぞれの電力変換回路８３の動作を停止させる。また、電源制御部９は、それぞれのスイッチ部８４を予め定められた時点にＯＦＦしてゆく。
【００４４】
ここで、スリープモードへの移行や主電源ＯＦＦによりストレージ２への電力供給を停止するとき、制御部１は、ストレージ２に遮断前処理を行わせる。遮断前処理は、データやストレージ２の破損を防ぐための処理である。ＨＤＤ２ａの場合、制御部１は、所定の退避位置（磁気ディスク２５の外側の位置）にヘッド２４ａを退避させる。これにより、電力供給が停止しても、ヘッド２４ａが磁気ディスク２５に接触せず、磁気ディスク２５はヘッド２４ａに傷付けられない。また、データの読み書きも物理的に行えず、データの破損も生じない。ＳＳＤ２ｂの場合、制御部１は、フラッシュメモリー２９へのアクセスを禁止させる。
【００４５】
（スリープモード中の一時復帰）
次に図４を用いて、実施形態に係る複合機１００での一時復帰を説明する。図４は、実施形態に係る複合機１００での一時復帰を説明するための図である。
【００４６】
スリープモード中、電源制御部９は、原則的に、制御部１とストレージ２への電力供給を停止する。しかし、スリープモード中、必要に応じて、電源制御部９は、制御部１とストレージ２への電力供給を一時再開して一時復帰させる。具体的に、電源制御部９は、制御部１とストレージ２への電力供給を停止している状態で制御部１がストレージ２の読み書きを伴う予め定められた特定処理を行う必要があるとき、制御部１とストレージ２への電力供給を一時再開する。
【００４７】
どのような処理を特定処理するかは、適宜定められる。ストレージ２を一時復帰させるので、ストレージ２に記憶されたプログラムＰ１や制御用データＤ１を読み出し、ＣＰＵ１１に処理させるほど、処理データ量が多い処理が特定処理とされる。複合機１００では、ネットワーク４００からの予め定められた要求に対する応答処理が特定処理とされる。
【００４８】
ネットワーク４００に接続された装置からの要求があったとき、ネットワーク４００のプロトコルに沿った応答を返す必要がある。応答を返さずタイムアウトしたとき、ネットワーク４００上に複合機１００は無いものと扱われ、コンピューター２００からの印刷データの受信できなくなる（コンピューター２００からの印刷データの送信先に複合機１００を選択できなくなる）場合があり得る。
【００４９】
ネットワーク４００に接続された装置からの要求が、通信部６の回路規模では対応できないレベルの要求（特定処理）のとき、通信部６は、電源制御部９に一時復帰指示を出す。一時復帰指示に基づき、電源制御部９は、制御部１とストレージ２に電力供給を行い、制御部１とストレージ２を一時復帰させる。一時復帰した制御部１は、要求に応答するために必要なプログラムＰ１、制御用データＤ１をストレージ２から読み出し、読み出したプログラムＰ１、制御用データＤ１に基づき処理する。そして、制御部１は、ネットワーク４００に向けて処理結果を通信部６に送信させる。場合により、制御部１は、処理結果や処理の履歴をストレージ２に記憶させる（書き込む）。
【００５０】
特定処理が完了すると消費電力の低減のため、制御部１は、ストレージ２に遮断前処理を行わせ、制御部１とストレージ２への電力の供給停止指示を電源制御部９に出す。供給停止指示を受けたとき、電源制御部９は、制御部１とストレージ２への電力供給を停止する。これにより、一時復帰が終了する。例えば、十数秒〜数十秒に一度、一時復帰が行われる。一時復帰の期間は、特定処理の内容によるが、例えば、１〜数秒程度である。
【００５１】
図４の横軸は、時間の経過を示す。図４のうち、時点Ｔ１は、スリープモードが開始された時点を示す。図４のうち、時点Ｔ２、Ｔ４は、一時復帰のため、電源制御部９が制御部１とストレージ２に電力供給を再開した時点の一例を示す。時点Ｔ３、Ｔ５は、制御部１による特定処理の後、制御部１とストレージ２への電力供給を停止して一時復帰を終了させた時点である。
【００５２】
（移動検知部７）
次に、図５を用いて、実施形態に係る移動検知部７を説明する。図５は、実施形態に係る移動検知部７の一例を示す図である。
【００５３】
複合機１００の下面には、キャスター（車輪）が取り付けられる。押すことにより、複合機１００を移動させることができる。複合機１００を移動させることで、電源コードＣ１が抜けることがある。例えば、電源コードＣ１が伸びきってもなお複合機１００を移動させると、電源コードＣ１がコンセント又は複合機１００から抜ける。主電源を落としてから複合機１００を移動させるべきである。しかし、スリープモードでは、表示パネル４１は消灯し、複合機１００からモーターの動作音もしない。一見、複合機１００は全く動作していないように見える。複合機１００を移動させてもよいと考える使用者もいる。また、主電源が落とされていると誤認する場合もあり得る。
【００５４】
スリープモードのうち、一時復帰期間外では、ストレージ２の読み書きは行われていないので電源コードＣ１が抜け、商用電源４００からの電力供給が遮断されてもデータやストレージ２の破損はない。一方、スリープモードのうち、一時復帰中では、ストレージ２の読み書きが行われる。一時復帰中に電源コードＣ１が抜け、商用電源４００からの電力供給が遮断されたとき、データやストレージ２が破損するおそれがある。
【００５５】
スリープモードでの複合機１００の移動に対して警告を出してデータやストレージ２の破損を防ぐため、複合機１００の内部に移動検知部７が設けられる。移動検知部７は、加速度センサー７１を含み、加速度センサー７１の出力に基づき複合機１００の移動を検知する。スリープモードでのストレージ２の読み書きが行われる一時復帰中に複合機１００の移動を移動検知部７が検知したとき、使用者に警告を出す（詳細は後述）。
【００５６】
加速度検知部７３は、加速度センサー７１（検知素子部）と、加速度センサー７１の出力を処理する信号処理回路７２を含む。加速度センサー７１は、加速度が加わった時の変形（ひずみ）に応じた電圧を出力する。加速度センサー７１には、静電容量型、ピエゾ抵抗型、ガス温度分布型のような各種の素子を用いることができる。複合機１００の移動方向を認識できるように、加速度センサー７１には、２軸以上のものが用いられる。信号処理回路７２は、加速度センサー７１の出力を処理し、加速度に比例し移動方向に応じた電圧波形を出力する。
【００５７】
認識回路７４は、加速度検知部７３の出力に基づき、移動方向と加速度を認識する。認識回路７４は、メモリー７５に不揮発的に記憶された閾値Ｔｈ１と、認識した加速度を比較する。閾値Ｔｈ１よりも加速度が大きいとき、認識回路７４は、複合機１００が移動していることを知らせる移動通知信号を電源制御部９に入力する。スリープモードの複合機１００の移動を検知できるように、電源制御部９は、スリープモードでも移動検知部７に電力を供給する。これにより、スリープモードでも、複合機１００が移動されていることを電源制御部９は認識できる。
【００５８】
ここで、複合機１００では、閾値Ｔｈ１を設定することができる。わずかな複合機１００の移動でも検知して警告を出すようにしたい使用者もいれば、複合機１００に人や物が当たって複合機１００に加えられた振動程度では、警告が出ないようにしたい使用者もいる。そこで、操作パネル４は、画像形成装置が移動していると判断するための閾値Ｔｈ１（加速度検知部７３の出力値に基づき認識回路７４が認識する加速度に対する閾値Ｔｈ１）の設定を受け付ける。制御部１は、操作パネル４で設定された閾値Ｔｈ１をメモリー７５に記憶させる。移動検知部７は、操作パネル４で設定された閾値Ｔｈ１に基づき、複合機１００が移動しているか否かを判断する。これにより、警告が出る複合機１００の移動の程度を使用者の意図に基づき定めることができる。
【００５９】
（スリープモードでの複合機１００の移動に対する警告）
次に、図６を用いて、実施形態に係る複合機１００でのスリープモード中の移動に対する警告処理の流れの一例を説明する。図６は、実施形態に係る複合機１００でのスリープモード中の移動に対する警告処理の流れの一例を示すフローチャートである。
【００６０】
図６のスタートは、複合機１００がスリープモードであり、移動検知部７が複合機１００の移動を検知した時点（閾値Ｔｈ１を超える加速度を認識した時点）である。なお、移動検知部７は、スリープモードが開始されてから通常モードに復帰するまで、又は、複合機１００の主電源が落とされるまで、複合機１００の移動の検知を続ける。
【００６１】
まず、移動検知部７（認識回路７４）は、複合機１００の移動方向が電源コードＣ１の抜けにくい移動方向として予め定められた方向である許容方向であるか否かを確認する（ステップ１♯）。例えば、複合機１００の背面に電源コードＣ１が取り付けられる。この場合、正面方向に複合機１００を移動させると、電源コードＣ１が引っ張られ、電源コードＣ１が抜けやすい。一方、背面方向に複合機１００を移動させても電源コードＣ１は引っ張られないので、電源コードＣ１は抜けにくい。
【００６２】
一定の角度範囲が許容方向として予め定められる。複合機１００の背面に電源コードＣ１が取り付けられ、複合機１００の右方向をゼロ度、背面方向を９０度、左方向を１８０度、正面方向を２７０度とした場合、例えば、７５度〜１０５度程度の範囲を許容方向とすることができる。許容方向を示す方向データＤ２が移動検知部７に記憶される（図５参照）。
【００６３】
スリープモード中の許容方向への移動であるとき（ステップ♯１のＹｅｓ）、移動検知部７は、移動通知信号を電源制御部９に入力しない（ステップ♯２）。そのため、電源制御部９は、表示パネル４１への電力供給を再開しない（ステップ♯３）。そして、本フローは終了する（エンド、スリープモードの維持）。その結果、許容方向への複合機１００の移動のとき、使用者への警告は行われない。
【００６４】
一方、許容方向以外の方向への移動であるとき（ステップ♯１のＮｏ）、移動検知部７は、移動通知信号を電源制御部９に入力する（ステップ♯４）。移動通知信号を受けたとき（電源制御部９が複合機１００の移動を認識したとき）、電源制御部９は、一時復帰中であるか否かを確認する（ステップ♯５）。一時復帰中でないとき（一時復帰の期間外であるとき、ステップ♯５のＮｏ）、不要な警告を行わないようにするため、電源制御部９は、表示パネル４１への電力供給を再開しない（ステップ♯３）。そして、本フローは終了する（エンド）。
【００６５】
一時復帰中であるとき（一時復帰の開始から終了までの間に移動検知部７が複合機１００の移動を検知したとき、ステップ♯５のＹｅｓ）、電源制御部９は、表示パネル４１への電力供給を再開する（ステップ♯６）。一時復帰中、制御部１は一時復帰している。そこで、制御部１は、表示パネル４１に警告画面を表示させる（ステップ♯７）。さらに、制御部１は、警告音をスピーカー４４に出させる（ステップ♯８）。
【００６６】
制御部１は、ストレージ２の読み書き動作中の可能性があることを知らせるメッセージ、複合機１００を移動させて電源コードＣ１が抜けるとデータとストレージ２の破損のおそれがあることを知らせるメッセージ、電源断を生じないようにすべきことを知らせるメッセージ、複合機１００の移動を止めるべきことを知らせるメッセージの何れか又は全てを含む警告画面を表示させる（ステップ♯７）。また、制御部１は、ビープ音や、サイレン音のような警告音や、一定間隔で発音と消音を繰り返すような警告音をスピーカー４４に出させる（ステップ♯８）。スリープモードでは点灯しない表示パネル４１の点灯や警告音により、使用者による複合機１００の移動を止めさせる。その結果、電源コードＣ１の抜けが防がれる。
【００６７】
ステップ♯７、ステップ♯８の開始から所定時間を経過したとき、制御部１は、警告音を停止させ、表示パネル４１への電力供給を電源制御部９に停止させる（ステップ♯９）。その結果、警告音、警告表示が終了する。さらに、特定処理が終了してから、制御部１は、遮断前処理をストレージ２に行わせる（ステップ♯１０）。また、制御部１は、制御部１とストレージ２への電力供給を電源制御部９に停止させる（ステップ♯１１）。これにより、スリープモードに復帰する（ステップ♯１２）。そして、本フローは終了する（エンド）。
【００６８】
このようにして、実施形態に係る画像形成装置（複合機１００）は、電源部８、電源コードＣ１、移動検知部７、操作パネル４、ストレージ２、制御部１、電源制御部９を含む。電源部８は、商用電源４００から供給された電力に基づき電圧を生成する。電源コードＣ１は、画像形成装置に差し込まれ、電源部８と商用電源４００とを接続する。移動検知部７は、加速度センサー７１を含む加速度検知部７３を備え、加速度センサー７１の出力に基づき画像形成装置の移動を検知する。操作パネル４は、表示パネル４１を含む。ストレージ２は、データを記憶する。制御部１は、データの読み出しと、データの書き込みをストレージ２に行わせる。電源制御部９は、予め定められた移行条件が整うと、表示パネル４１、ストレージ２、及び、制御部１を含む予め定められた供給停止部分への電力供給を停止して画像形成装置をスリープモードとし、スリープモードで予め定められた復帰条件が整うと、供給停止部分への電力供給を再開して画像形成装置を通常モードとする。スリープモード中、電源制御部９は、制御部１がストレージ２の読み書きを伴う予め定められた特定処理を行うとき、制御部１とストレージ２への電力供給を一時再開して一時復帰させ、特定処理の後、制御部１とストレージ２への電力供給を停止して一時復帰を終了させる。制御部１は、記憶されたデータを保護するための遮断前処理を一時復帰の終了前にストレージ２に行わせる。一時復帰の開始から終了までの間に移動検知部７が移動を検知したとき、電源制御部９は、表示パネル４１への電力供給を再開し、制御部１は、ストレージ２が動作中であり電源が切れないように注意を促す警告を表示パネル４１に表示させる。
【００６９】
これにより、データやストレージ２の破損が生じ得るタイミングで電源コードＣ１が抜けないように注意を促すことができる。言い換えると、スリープモードでストレージ２の読み書きを行っている可能性がある一時復帰中、画像形成装置を移動すべきではなく、電源コードＣ１が抜けることによる電力供給の遮断が生じないように警告を出すことができる。また、スリープモードでは消される表示パネル４１が点灯するので、使用者に画像形成装置の電源が入っていることを知らせることができる。従って、一時復帰中での画像形成装置の移動と電源コードＣ１の抜けを防ぎ、データやストレージ２の破損を防ぐことができる。また、電源を切って、電源コードＣ１を外してから画像形成装置を移動するように仕向けることができる。
【００７０】
また、実施形態に係る画像形成装置は、スピーカー４４を含む。スリープモード中、制御部１は、一時復帰の開始から終了までの間に移動検知部７が移動を検知したとき、警告音をスピーカー４４に出させる。これにより、好ましくないタイミングで画像形成装置を移動しようとしていることを使用者に気づかせることができる。従って、一時復帰中の画像形成装置の移動に警告を出し、移動すべきではないことを使用者に気づかせることができる。その結果、一時復帰中に電源コードＣ１が外れるほど画像形成装置を移動することがなくなり、データやストレージ２の破損を防ぐことができる。
【００７１】
また、スリープモード中、移動検知部７が一時復帰期間外に移動を検知したとき、電源制御部９は、表示パネル４１への電力供給を再開しない。これは、ストレージ２の読み書きを行わない一時復帰期間外であれば、電源コードＣ１が抜けてもデータやストレージ２の破損がないためである。そこで、一時復帰期間外の移動であれば、表示パネル４１への電力供給を再開せず、警告画面の表示を行わない。従って、スリープモード中に必要の無い表示パネル４１の点灯を避けることができる。
【００７２】
また、移動検知部７は、画像形成装置の移動方向を認識する。スリープモード中、電源コードＣ１の抜けにくい方向として予め定められた許容方向への移動を検知したとき、電源制御部９は、表示パネル４１への電力供給を再開しない。これにより、電源コードＣ１が抜けず、画像形成装置を移動させても問題ない方向への移動の場合、表示パネル４１への電力供給を再開せず、警告画面の表示を行わないようにすることができる。従って、スリープモード中に必要の無い表示パネル４１の点灯を避けることができる。
【００７３】
また、操作パネル４は、移動検知部７が移動していると判断するための閾値Ｔｈ１であって、加速度検知部７３の出力値に対する閾値Ｔｈ１の設定を受け付ける。移動検知部７は、操作パネル４で設定された閾値Ｔｈ１に基づき、移動しているか否かを判断する。これにより、画像形成装置に少し当たったり、触れたりしただけで画像形成装置の移動と判断するようにしたり、反対に、判断されないようにすることができる。使用者の希望に応じて、移動に対する感度を設定することができる。
【００７４】
また、実施形態に係る画像形成装置は、ネットワーク４００と接続される通信部６を含む。特定処理は、ネットワーク４００からの要求の応答に関する処理である。これにより、ネットワーク４００からの要求に応答するため、必要な時間だけ制御部１とストレージ２を一時復帰させるので、画像形成装置のスリープモードでの平均的な消費電力を抑えることができる。
【００７５】
以上、本発明の実施形態について説明したが、本発明の範囲はこれに限定されるものではなく、発明の主旨を逸脱しない範囲で種々の変更を加えて実施することができる。
【産業上の利用可能性】
【００７６】
本発明はスリープモードとストレージを搭載した画像形成装置に利用可能である。
【符号の説明】
【００７７】
１００  複合機（画像形成装置）          １      制御部
２      ストレージ                      ４      操作パネル
４１    表示パネル                      ４４    スピーカー
６      通信部                          ７      移動検知部
７１    加速度センサー                  ７３    加速度検知部
８      電源部                          ９      電源制御部
４００  商用電源                        Ｃ１    電源コード
Ｔｈ１  閾値
【図１】
2018034429.tif 000003
【図２】
2018034429.tif 000004
【図３】
2018034429.tif 000005
【図４】
2018034429.tif 000006
【図５】
2018034429.tif 000007
【図６】
2018034429.tif 000008